【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
電気素子と、前記電気素子に接続された第１の導体板とを備える電気回路装置であって、
前記電気素子は、
互いに平行に配置された複数の平板部材からなる第２の導体板と、
前記第２の導体板を構成する各平板部材に対向する複数の平板部材からなる第３の導体板と、
前記第２の導体板を構成する各平板部材と前記第３の導体板を構成する各平板部材との間に配置された第１の誘電体と、
前記第２の導体板を構成する各平板部材に平行な第１の方向に関して、前記第２の導体板の一方端側に接続された第１の電極と、
前記第１の方向に関して、前記第２の導体板の他方端側に接続された第２の電極と、
前記第３の導体板に接続された第３の電極と、
前記第３の導体板に接続された第４の電極とを備え、
前記第１の導体板は、前記第１の電極と前記第２の電極との間に、前記第２の導体板に対して並列に接続され、
前記第１の導体板の、前記第１の電極と前記第２の電極との間における抵抗は、前記第２の導体板を構成する各平板部材の、前記第１の電極と前記第２の電極との間における抵抗よりも小さいことを特徴とする電気回路装置。
【請求項２】
前記電気素子の外形は、下面と、前記下面に対向する上面と、前記下面に垂直な第１の側面と、前記第１の側面に対向する第２の側面とを有し、
前記第２の導体板を構成する各平板部材は、前記下面に対して平行に配置され、
前記第１の電極は、前記第１の側面に沿って配置された部分を有し、
前記第２の電極は、前記第２の側面に沿って配置された部分を有し、
前記第１の導体板は、前記上面に沿って配置された部分を有することを特徴とする請求項１記載の電気回路装置。
【請求項３】
前記電気素子の外形は、前記下面および前記第１の側面に垂直な第３の側面と、前記第３の側面に対向する第４の側面とをさらに有し、
前記第３の導体板を構成する各平板部材は、前記下面に対して平行に配置され、
前記第３の電極は、前記第３の側面および前記第４の側面に沿って配置された部分を有することを特徴とする請求項２記載の電気回路装置。
【請求項４】
前記第３の電極は、前記第１の方向に関して、前記第３の導体板の一方端側に接続され、
前記第４の電極は、前記第１の方向に関して、前記第３の導体板の他方端側に接続されていること特徴とする請求項１記載の電気回路装置。
【請求項５】
前記電気素子の外形は、下面と、前記下面に対向する上面と、前記下面に垂直な第１の側面と、前記第１の側面に対向する第２の側面とを有し、
前記第２の導体板を構成する各平板部材は、前記下面に対して平行に配置され、
前記第１の電極は、前記第１の側面に沿って配置された部分を有し、
前記第２の電極は、前記第２の側面に沿って配置された部分を有し、
前記第１の導体板は、前記上面に沿って配置された部分を有することを特徴とする請求項１又は４記載の電気回路装置。
【請求項６】
前記電気素子の外形は、前記下面および前記第１の側面に垂直な第３の側面と、前記第３の側面に対向する第４の側面とをさらに有し、
前記第３の導体板を構成する各平板部材は、前記下面に対して平行に配置され、
前記第３の電極は、前記第３の側面、前記下面および前記第４の側面に沿って配置された部分を有し、
前記第４の電極は、前記第３の側面、前記下面および前記第４の側面に沿って配置された部分を有することを特徴とする請求項５記載の電気回路装置。
【請求項７】
前記第1の導体板は、前記第１の側面に沿って配置された部分および前記第２の側面に沿って配置された部分を有し、
前記第1の導体板の、前記第１の側面に沿って配置された部分は、前記第１の電極の、前記第１の側面に沿って配置された部分に接続され、
前記第1の導体板の、前記第２の側面に沿って配置された部分は、前記第２の電極の、前記第２の側面に沿って配置された部分に接続されていることを特徴とする請求項２記載の電気回路装置。
【請求項８】
前記第１の電極の、前記第１の側面に沿って配置された部分は、上端が前記上面に露出し、
前記第２の電極の、前記第２の側面に沿って配置された部分は、上端が前記上面に露出し、
前記第1の導体板は、前記第1の電極の、前記第１の側面に沿って配置された部分の上端に接続されるとともに、前記第２の電極の、前記第２の側面に沿って配置された部分の上端に接続されていることを特徴とする請求項２記載の電気回路装置。
【請求項９】
前記電気回路装置は、
前記第1の導体板を前記第１の電極に接続するための第１の半田部材と、
前記第1の導体板を前記第２の電極に接続するための第２の半田部材とをさらに備え、
前記第1の導体板は、前記上面に沿って配置された部分が、前記電気素子の上面の直上から前記第１の方向に関して外方にはみ出した第１のはみ出し部分および第２のはみ出し部分を有し、
前記第１の半田部材は、前記第１のはみ出し部分と、前記第１の電極の、前記第１の側面に沿って配置された部分とに接して配置され、
前記第２の半田部材は、前記第２のはみ出し部分と、前記第２の電極の、前記第２の側面に沿って配置された部分とに接して配置されたことを特徴とする請求項２記載の電気回路装置。
【請求項１０】
前記電気素子の上面と前記第１の導体板との間に、前記電気素子および前記第１の導体板に接して放熱部材が配置されていることを特徴とする請求項２記載の電気回路装置。
【請求項１１】
前記第３の電極および前記第４の電極の、前記第３の側面および前記第４の側面に沿って配置された部分は、上端が前記上面に露出し、
前記第1の導体板の、前記上面に沿って配置された部分は、前記第３の電極および前記第４の電極の、前記上面に露出した部分と接することを避けるための切欠部を有することを特徴とする請求項３記載の電気回路装置。
【請求項１２】
前記電気素子は、前記上面に露出した第２の誘電体をさらに備え、
前記第1の導体板の、前記上面に沿って配置された部分は、
前記第１の電極の前記上面に露出した部分に、半田層を介して接する第１の部分と、
前記第２の電極の前記上面に露出した部分に、半田層を介して接する第２の部分と、
前記第１の部分および第２の部分との間にそれぞれ段差を有すると共に、前記第２の誘電体に接する第３の部分とを備えることを特徴とする請求項８記載の電気回路装置。
【請求項１３】
電気素子と、前記電気素子に接続された第１の導体板とを備える電気回路装置であって、
前記電気素子は、第１の電流を電源側から電気負荷側へ流す第２の導体板と、前記第１の電流のリターン電流である第２の電流を前記電気負荷側から前記電源側へ流す第３の導体板とを備え、
前記第２の導体板は、前記第１の電流および前記第２の電流がそれぞれ前記第２の導体板および前記第３の導体板に流れたとき、自己インダクタンスよりも小さいインダクタンスを有し、
前記第１の導体板は、前記第２の導体板に対して並列に接続され、
前記第１の導体板の、前記第２の導体板に対して並列に接続された部分の抵抗は、前記第２の導体板の、前記第１の導体板に対して並列に接続された部分の抵抗よりも小さいことを特徴とする電気回路装置。
【請求項１４】
前記第２の導体板は、各々が前記第１の電流を前記電源側から前記電気負荷回路側へ流すｎ（ｎは正の整数）個の平板部材を備え、
前記第２の導体板を構成するｎ個の平板部材は、互いに平行に配置され、
前記第３の導体板は、前記第２の導体板を構成するｎ個の平板部材と交互に積層され、各々が前記第２の電流を前記電気負荷側から前記電源側へ流すｍ（ｍは正の整数）個の平板部材を備え、
前記電気素子は、
前記第１の電流が流れる方向に関して、前記第２の導体板を構成するｎ個の平板部材の一方端側に接続された第１の電極と、
前記第１の電流が流れる方向に関して、前記第２の導体板を構成するｎ個の平板部材の他方端側に接続された第２の電極とをさらに備え、
前記第１の導体板は、前記第２の導体板を構成するｎ個の平板部材に対して平行に配置された部分を有し、
さらに前記第１の導体板は、前記第１の電極および前記第２の電極を介して前記第２の導体板に接続されていることを特徴とする請求項１３記載の電気回路装置。
【請求項１５】
前記電気素子は、
前記第２の電流が流れる方向に関して、前記第３の導体板を構成するｍ個の平板部材の一方端側に接続された第３の電極と、
前記第２の電流が流れる方向に関して、前記第２の導体板を構成するｍ個の平板部材の他方端側に接続された第４の電極とをさらに備えることを特徴とする請求項１４記載の電気回路装置。
【請求項１６】
前記電気素子の外形は、下面と、前記下面に対向する上面と、前記下面に垂直な第１の側面と、前記第１の側面に対向する第２の側面とを有し、
前記第２の導体板を構成するｎ個の平板部材は、前記下面に対して平行に配置され、
前記第１の電極は、前記第１の側面に沿って配置された部分を有し、
前記第２の電極は、前記第２の側面に沿って配置された部分を有し、
前記第１の導体板は、前記上面に沿って配置された部分を有することを特徴とする請求項１４記載の電気回路装置。
【請求項１７】
前記電気素子の外形は、前記下面および前記第１の側面に垂直な第３の側面と、前記第３の側面に対向する第４の側面とをさらに有し、
前記第３の導体板を構成するｍ個の平板部材は、前記下面に対して平行に配置され、
前記第３の電極は、前記第３の側面、前記下面および前記第４の側面に沿って配置された部分を有し、
前記第４の電極は、前記第３の側面、前記下面および前記第４の側面に沿って配置された部分を有することを特徴とする請求項１６記載の電気回路装置。
【請求項１８】
前記第1の導体板は、前記第１の側面に沿って配置された部分および前記第２の側面に沿って配置された部分を有し、
前記第1の導体板の、前記第１の側面に沿って配置された部分は、前記第１の電極の、前記第１の側面に沿って配置された部分に接続され、
前記第1の導体板の、前記第２の側面に沿って配置された部分は、前記第２の電極の、前記第２の側面に沿って配置された部分に接続されていることを特徴とする請求項１６記載の電気回路装置。
【請求項１９】
前記第１の電極の、前記第１の側面に沿って配置された部分は、上端が前記上面に露出し、
前記第２の電極の、前記第２の側面に沿って配置された部分は、上端が前記上面に露出し、
前記第1の導体板は、前記第1の電極の、前記第１の側面に沿って配置された部分の上端に接続されるとともに、前記第２の電極の、前記第２の側面に沿って配置された部分の上端に接続されていることを特徴とする請求項１６記載の電気回路装置。
【請求項２０】
前記第３の電極および前記第４の電極の、前記第３の側面および前記第４の側面に沿って配置された部分は、上端が前記上面に露出し、
前記第1の導体板の、前記上面に沿って配置された部分は、前記第３の電極および前記第４の電極の、前記上面に露出した部分と接することを避けるための切欠部を有することを特徴とする請求項１７記載の電気回路装置。